(57)【要約】【課題】販売者側が発行する販売促進用や、情報誌等の本や冊子等に添付するサービス券やクーポン券等の発行券類を改良することにより、販売者側が、購買者側に一度に発信できる店舗情報、商品情報、販売区域情報等の販売情報の情報量を増大化できるようにするとともに、発信される多量の販売情報の中から、購買者側は必要とする情報を容易に選択でき、より詳細な情報を取得できるようにすることにある。【解決手段】シート１を切取線２を介して複数の区画に区分して形成された各々区画シート領域に、それぞれ異なる可視情報表示部３が表示され、ＩＣタグ４が装着されたＩＣタグ装着発行券類Ａと、該ＩＣタグ４に書き込まれた販売者（発行者）のアドレスデータ及び販売情報データを読み取り可能な読取手段Ｃと、該読取手段Ｃにダウンロードしたアドレスデータによりアクセスして詳細情報を取得できるデータサーバサイトＢと備える。【選択図】図４
2006065604.tif 000002
【特許請求の範囲】
【請求項１】
紙製若しくはプラスチック製若しくは複合材製のシートを切取線を介して複数の区画に区分して形成された各々区画シート領域に、それぞれ異なる可視情報表示部が表示され、該各々区画シート内に書込手段にて情報データを書き込み可能であって読取手段にて情報データを読み取り可能なＲＦタグ（Ｒａｄｉｏ  Ｆｒｅｑｕｅｎｃｙ  Ｉｄｅｎｔｉｆｉｃａｔｉｏｎ  Ｔａｇ）等のＩＣタグが装着され、前記各々ＩＣタグには、前記可視情報表示部に表示された情報に対応する読取手段にて読み取り可能な情報データが書き込まれていることを特徴とするＩＣタグ装着情報媒体。
【請求項２】
請求項１記載のＩＣタグ装着情報媒体において、前記各々ＩＣタグに書き込まれた読取手段にて読み取り可能な情報データが、それぞれ異なる可視情報表示部に表示された情報に対応する販売情報データであることを特徴とするＩＣタグ装着情報媒体。
【請求項３】
請求項１又は２記載のＩＣタグ装着情報媒体において、前記シートの表面又は裏面に前記ＩＣタグが接着剤にて装着されていることを特徴とするＩＣタグ装着情報媒体。
【請求項４】
請求項１又は２記載のＩＣタグ装着情報媒体において、前記シートの全部の面若しくは一部の面が、少なくとも２枚重ねシートの重ね合わせ内面を接着した接着シートからなり、該接着シートの間に前記ＩＣタグが挟持されて装着されていることを特徴とするＩＣタグ装着情報媒体。
【請求項５】
請求項１又は２記載のＩＣタグ装着情報媒体において、前記シートが紙製シートからなり、抄紙工程にて該シート１の紙層間に前記ＩＣタグが装着されていることを特徴とするＩＣタグ装着情報媒体。
【請求項６】
請求項１乃至５のいずれか１項記載のＩＣタグ装着情報媒体において、前記読取手段が読取端末器又は携帯端末器であることを特徴とするＩＣタグ装着情報媒体。
【請求項７】
請求項１乃至６のいずれか１項記載のＩＣタグ装着情報媒体を用いて製作されていることを特徴とするＩＣタグ装着発行券類。
【請求項８】
紙製若しくはプラスチック製若しくは複合材製のシートを切取線を介して複数の区画に区分して形成される各々区画シート領域に、それぞれ異なる可視情報表示部が表示され、且つ該各々区画シート内の適宜位置に前記可視情報表示部に表示された情報に対応するそれぞれ異なる固有のアクセスデータ（例えばユニホームリソースロケーター：ＵＲＬ、ドメイン、メールアドレス等）と販売情報データとが書き込まれたＲＦタグ（Ｒａｄｉｏ  Ｆｒｅｑｕｅｎｃｙ  Ｉｄｅｎｔｉｆｉｃａｔｉｏｎ  Ｔａｇ）等のＩＣタグが装着されていることを特徴とするＩＣタグ装着発行券類。
【請求項９】
券類発行者である販売者側から購買者側に発行する請求項７又は８記載のＩＣタグ装着発行券類Ａと、券類発行者側が開設したＷＥＢデータサーバサイトＢと、購買者側に発行された前記発行券類ＡのＩＣタグに書き込まれた前記アクセスデータと販売情報データとを読み取り可能であって且つ前記アクセスデータに基づいてインターネットＮを介して前記データサーバサイトＢにアクセスして店舗情報、商品情報、販売区域情報等の詳細販売情報データを閲覧可能な読取手段Ｃとを備え、各々購買者は前記発行券類Ａから得られた販売情報データ又は／及び詳細販売情報データに基づいて券類発行者側の販売する商品を購入できるようにしたことを特徴とするＩＣタグ装着発行券類を用いた販売システム。
【請求項１０】
請求項９記載のＩＣタグ装着発行券類を用いた販売システムにおいて、前記発行券類Ａ
の各々区画シート領域が、それぞれ異なる複数の販売区域又は店舗又は販売者を対象とするクーポン券であることを特徴とするＩＣタグ装着発行券類を用いた販売システム。
【発明の詳細な説明】
【技術分野】
【０００１】
本発明は、店舗情報、商品情報、販売区域情報等の販売情報を発信するための情報媒体に関し、紙製若しくはプラスチック製若しくは複合材製などのシートを、切取線を介して複数の区画に区分して形成された各々区画シートに、それぞれ異なる可視情報表示部を備え、その可視情報表示部に表示された情報に対応するそれぞれ異なるアクセス用データが書き込まれたＩＣタグを装着したＩＣタグ装着情報媒体及びＩＣタグ装着発行券類及びＩＣタグ装着発行券類を用いた販売システムに関する。
【背景技術】
【０００２】
一般に、販売者側が店舗情報、商品情報、販売区域情報等の販売情報を発信するための情報媒体としては、ファッション雑誌、家具・調度品・装飾品雑誌、グルメ雑誌、観光・旅行案内雑誌などの情報誌や、新聞広告ページや、テレビやラジオ放送における短時間のコマーシャル番組等の情報媒体がある。
【０００３】
これらの情報媒体によって販売者側が発信できる情報量は、情報誌等の限られたページ面や、短時間のコマーシャル放送時間などによって制約されるため、情報誌やコマーシャル放送によって、購買者側に一度に発信できる情報量には制限があり、販売効果の向上を達成するために発信する販売情報量の増大化はなかなか困難であった。
【０００４】
また、従来の情報誌として、例えば、販売効果を向上させるために、情報誌等の雑誌にサービス券やクーポン券を付加したクーポン券付きの雑誌があるが、同様に販売者側が購買者側に一度に発信できる店舗情報、商品情報、販売区域情報等の販売情報量には限界があった。
【０００５】
以下に、従来の公知の特許文献を記載する。
【特許文献１】実開平６−７４３６２号公報
【特許文献２】特開２００１−２４６８８１号公報
【発明の開示】
【発明が解決しようとする課題】
【０００６】
本発明の課題は、販売者側が発行する販売促進用のサービス券やクーポン券や、情報誌等の本や冊子等に添付するサービス券やクーポン券自体を改良することにより、販売者側が、購買者側に一度に発信できる店舗情報、商品情報、販売区域情報等の販売情報の情報量を増大化できるようにするとともに、発信される多量の販売情報の中から、購買者側は必要とする情報を容易に選択でき、且つより詳細な情報を取得できるようにすることにある。
【課題を解決するための手段】
【０００７】
本発明の請求項１に係る発明は、紙製若しくはプラスチック製若しくは複合材製のシートを切取線を介して複数の区画に区分して形成された各々区画シート領域に、それぞれ異なる可視情報表示部が表示され、該各々区画シート内に書込手段にて情報データを書き込み可能であって読取手段にて情報データを読み取り可能なＲＦタグ（Ｒａｄｉｏ  Ｆｒｅｑｕｅｎｃｙ  Ｉｄｅｎｔｉｆｉｃａｔｉｏｎ  Ｔａｇ）等のＩＣタグが装着され、前記各々ＩＣタグには前記可視情報表示部に表示された情報に対応する読取手段にて読み取り
可能な情報データが書き込まれていることを特徴とするＩＣタグ装着情報媒体である。
【０００８】
本発明の請求項２に係る発明は、上記請求項１に係るＩＣタグ装着情報媒体において、前記各々ＩＣタグに書き込まれた読取手段にて読み取り可能な情報データが、それぞれ異なる可視情報表示部に表示された情報に対応する販売情報データであることを特徴とするＩＣタグ装着情報媒体である。
【０００９】
本発明の請求項３に係る発明は、上記請求項１又は２に係るＩＣタグ装着情報媒体において、前記シートの表面又は裏面に前記ＩＣタグが接着剤にて装着されていることを特徴とするＩＣタグ装着情報媒体である。
【００１０】
本発明の請求項４に係る発明は、上記請求項１又は２に係るＩＣタグ装着情報媒体において、前記シートの全部の面若しくは一部の面が、少なくとも２枚重ねシートの重ね合わせ内面を接着した接着シートからなり、該接着シートの間に前記ＩＣタグが挟持されて装着されていることを特徴とするＩＣタグ装着情報媒体である。
【００１１】
本発明の請求項５に係る発明は、上記請求項１又は２に係るＩＣタグ装着情報媒体において、前記シートが紙製シートからなり、抄紙工程にて該シート１の紙層間に前記ＩＣタグが装着されていることを特徴とするＩＣタグ装着情報媒体である。
【００１２】
本発明の請求項６に係る発明は、上記請求項１乃至５のいずれか１項に係るＩＣタグ装着情報媒体において、前記読取手段が読取端末器又は携帯端末器であることを特徴とするＩＣタグ装着情報媒体である。
【００１３】
本発明の請求項７に係る発明は、上記請求項１乃至６のいずれか１項に係るＩＣタグ装着情報媒体を用いて製作されていることを特徴とするＩＣタグ装着発行券類である。
【００１４】
本発明の請求項８に係る発明は、紙製若しくはプラスチック製若しくは複合材製のシートを切取線を介して複数の区画に区分して形成される各々区画シート領域に、それぞれ異なる可視情報表示部が表示され、且つ該各々区画シート内の適宜位置に、前記可視情報表示部に表示された情報に対応するそれぞれ異なる固有のアクセスデータ（例えばユニホームリソースロケーター；ＵＲＬ、ドメイン、メールアドレス等）と、販売情報データとが書き込まれたＲＦタグ（Ｒａｄｉｏ  Ｆｒｅｑｕｅｎｃｙ  Ｉｄｅｎｔｉｆｉｃａｔｉｏｎ  Ｔａｇ）等のＩＣタグが装着されていることを特徴とするＩＣタグ装着発行券類である。
【００１５】
本発明の請求項９に係る発明は、券類発行者である販売者側から購買者側に発行する上記請求項７又は８に係るＩＣタグ装着発行券類Ａと、券類発行者側が開設したＷＥＢデータサーバサイトＢと、購買者側に発行された前記発行券類ＡのＩＣタグに書き込まれた前記アクセスデータと販売情報データとを読み取り可能であって且つ前記アクセスデータに基づいてインターネットＮを介して前記データサーバサイトＢにアクセスして店舗情報、商品情報、販売区域情報等の詳細販売情報データを閲覧可能な読取手段Ｃとを備え、各々購買者は前記発行券類Ａから得られた販売情報データ又は／及び詳細販売情報データに基づいて券類発行者側の販売する商品を購入できるようにしたことを特徴とするＩＣタグ装着発行券類を用いた販売システムである。
【００１６】
本発明の請求項１０に係る発明は、上記請求項９に係るＩＣタグ装着発行券類を用いた販売システムにおいて、前記発行券類Ａの各々区画シート領域が、それぞれ異なる複数の販売区域又は店舗又は販売者を対象とするクーポン券であることを特徴とするＩＣタグ装着発行券類を用いた販売システムである。
【発明の効果】
【００１７】
本発明の請求項１乃至６に係るＩＣタグ装着情報媒体、及び請求項７、８に係るＩＣ装着発行券類は、図１に示すように、シート１を切取線２を介して複数の区画に区分して形成された各々区画シート１−１、１−２、１−３、・・・、１−ｎの領域に、それぞれ異なる可視情報表示部３が表示され、該各々区画シート内に書込手段にて情報データを書き込み可能であって、読取手段Ｃにて情報データを読み取り可能なＲＦタグ（Ｒａｄｉｏ  Ｆｒｅｑｕｅｎｃｙ  Ｉｄｅｎｔｉｆｉｃａｔｉｏｎ  Ｔａｇ）等のＩＣタグ４が装着され、該各々ＩＣタグ４には、前記可視情報表示部３に表示された情報に対応する読取手段Ｃにて読み取り可能な情報データが書き込まれているものである。
【００１８】
例えば、複数の各々販売区域（あるいは各々商店街区域、１〜ｎ区域）毎に、又は複数の各々店舗（１〜ｎ店）毎に、又は複数の各々販売者毎に、それぞれ内容の異なる販売情報を、各々区画シート１−１、１−２、１−３、・・・、１−ｎの領域に可視情報表示部３として表示することができ、また、各々区画シート１−１、１−２、１−３、・・・、１−ｎの領域内に装着された各々ＩＣタグ４に、その複数１〜ｎの可視情報表示部３に表示された情報に対応する複数１〜ｎのそれぞれ内容の異なる販売情報を電子データとして書き込むことができる。
【００１９】
そのために、本発明のＩＣタグ装着情報媒体及びＩＣ装着発行券類は、券発行者側である複数の各々販売区域、又は各々店舗、各々販売者は、購買者側に一度に発信できる販売情報量を、情報誌等の限られたページ面や短時間のコマーシャル放送時間などのような制約条件に影響されずに、１枚のシート１にて増大化でき、券発行者側は、販売情報ページ（商品広告ページ、販売促進ページなど）として利用展開でき、また、例えば、クーポン券やサービス券としても利用展開できるものである。
【００２０】
また、券発行者側である複数の各々販売区域、又は各々店舗、各々販売者毎に、その区域、店舗、販売者の固有のアクセスデータ（例えばユニホームリソースロケーター：ＵＲＬ、ドメイン、メールアドレス等）と、多量の販売情報とを、各々区画シート１−１、１−２、１−３、・・・、１−ｎ毎に、可視情報表示部３として、及び、図４に示すように、ＩＣタグ４による電子情報データとして、購買者側が読取手段Ｃによって読み取ることができ、各々販売区域、又は各々店舗、各々販売者毎の多量の販売情報を、上記の制約条件に影響されずに、効率的に一度に多量に購買者側に発信でき、販売効果の向上を達成するためにきわめて効果的である。
【００２１】
本発明の請求項９、１０に係るＩＣタグ装着発行券類を用いた販売システムは、複数の券類発行者側から購買者側に発行するＩＣタグ装着発行券類Ａと、複数の券類発行者側が開設したＷＥＢデータサーバサイトＢと、購買者側に発行された前記発行券類ＡのＩＣタグに書き込まれた前記アクセスデータと販売情報データとを読み取り可能であって且つ前記アクセスデータに基づいてインターネットＮを介して前記データサーバサイトＢにアクセスして、各々券類発行者側の店舗情報、商品情報、販売区域情報等の詳細販売情報データを閲覧可能な読取手段Ｃとを備えている。
【００２２】
そのために、購買者は、券類発行者側である各々販売区域、又は各々店舗、各々販売者から進呈されたＩＣタグ装着発行券類Ａの可視情報表示部３により、及び読取手段ＣによってＩＣタグ４から各々販売区域、又は各々店舗、各々販売者の販売情報を読み取って取得することができ、券発行者側は、販売情報ページ（商品広告ページ、販売促進ページなど）として、また例えばクーポン券やサービス券としても利用展開できるものである。
【００２３】
購買者は、前記発行券類ＡのＩＣタグ４から読取手段Ｃによって読み取って得られた各
々販売区域、又は各々店舗、各々販売者の固有のアクセスデータ（例えばユニホームリソースロケーター；ＵＲＬ、ドメイン、メールアドレス等）に基づいて、インターネットＮを介して、データサーバサイトＢにアクセスし、ＩＣタグ４から直接読み取った販売情報よりも詳細な多量の販売情報を閲覧することができ、得られた各々券類発行者側の店舗情報、商品情報、販売区域情報等の、より詳細な販売情報データ中から、情報を取捨選択して、必要とする販売情報に基づいて、効率的に券類発行者側の販売する商品を購入することができる。
【発明を実施するための最良の形態】
【００２４】
本発明の請求項１乃至６に係るＩＣタグ装着情報媒体は、図１の平面図に示すように、紙製若しくはプラスチック製若しくは複合材製のシート１に、縦横の切取線２を介して、複数の区画に区分して形成された各々区画シート１−１、１−２、１−３、・・・、１−ｎが形成されている。
【００２５】
各々区画シート１−１、１−２、１−３、・・・、１−ｎ領域には、それぞれ異なる所望の情報を表示した可視情報表示部３が形成されている。
【００２６】
区画シート１−１、１−２、１−３、・・・、１−ｎのそれぞれ領域に表紙する可視情報表示部３として、各々区画シート毎に、異なる複数の販売区域（商店街区域）を印刷表示し、例えば、区画シート１−１にはＡ町商店街（組合）、区画シート１−２にはＢ通り商店街（組合）、区画シート１−３にはＣ町商店街（組合）、・・・、区画シート１−ｎにはＮ通り商店街（組合）と表示する。
【００２７】
また、他の例として、各々区画シート毎に、１つの販売区域内における異なる複数の具体的な販売店舗名を印刷表示し、例えば、区画シート１−１にはＡ洋服店、区画シート１−２にはＢマーケット、区画シート１−３にはＣドラックストア、・・・、区画シート１−ｎにはＮレストランと表示する。
【００２８】
また、該各々区画シート１−１、１−２、１−３、・・・、１−ｎ内には、書込手段にて情報データを書き込み可能であって、読取手段（後述）にて情報データを読み取り可能なＲＦタグ（Ｒａｄｉｏ  Ｆｒｅｑｕｅｎｃｙ  Ｉｄｅｎｔｉｆｉｃａｔｉｏｎ  Ｔａｇ）等の各々ＩＣタグ４（交信用ＣＰＵ回路、メモリ回路、交信用アンテナなどＩＣ回路を搭載）が装着されている。
【００２９】
各々区画シートに装着された各々ＩＣタグ４には、前記可視情報表示部３に表示された情報に対応する読取手段にて読み取り可能な所望の情報データが書き込まれ、例えば、販売情報データ（販売区域、店舗名、商品名、広告情報等）が書き込まれている。
【００３０】
各々ＩＣタグ４に書き込まれ、格納される販売情報データの項目としては、店舗情報、商品情報等があり、例えば、図２に示すような店舗情報格納例としては、店舗名（店舗ＩＤ）、店舗住所、店舗の電話番号、店舗の固有のアクセスデータ（例えばユニホームリソースロケーター：ＵＲＬ、ドメイン、メールアドレス等）、販売割引額等の情報データが書き込まれている。
【００３１】
また、各々ＩＣタグ４の店舗情報格納例として、その他に、必要に応じて、使用可能・不可能フラグがあり、ＩＣタグ４が読取手段によって一定回数以上、読み取られた場合には、読み取り制御データとして、ＩＣタグ４内にそのフラグを立てることによって、無制限の読み取り使用を防ぐようにすることができる。
【００３２】
前記シート１は、紙製若しくはプラスチック製若しくは複合材製であり、そのシート１
の表面又は裏面に、前記ＩＣタグ４が接着剤にて装着されているか、あるいは、前記シート１の全部の面、若しくは一部の面が、少なくとも２枚重ねシートの重ね合わせ内面を接着した重合接着シートからなり、該接着シートの間に前記ＩＣタグ４が挟持されて装着されている。
【００３３】
あるいは、前記シート１は、例えば、紙製シートからなり、抄紙工程（製紙工程）にて該シート１の紙層間に前記ＩＣタグ４を装着してもよい。
【００３４】
各々区画シートに装着された各々ＩＣタグ４に書き込まれている情報は、非接触交信読取方式の読取手段によって読み取ることができるようになっており、該読取手段（後述）としては、例えば、読取端末器（定置タイプ）又は携帯端末器（モバイル方式）などがある。
【００３５】
図１に示す本発明の上記のＩＣタグ装着情報媒体Ａは、切取線２（ミシン目、ハーフカッティング線など）に沿って切り離して、複数の各々ＩＣタグ装着情報媒体Ａ1 、Ａ2 、Ａ3 、・・・、Ａn として利用でき、例えば、複数の各々販売区域、又は各々店舗、又は各々販売者は、購買者向けに販売情報を発信するための情報媒体Ａの発行者側として、販売情報ページ（商品広告ページ、販売促進ページなど）として利用展開でき、また、例えば、クーポン券や、サービス券としても利用展開できるものである。
【００３６】
本発明の請求項７、８に係るＩＣタグ装着発行券類は、請求項１乃至６のいずれか１項に係る上記のＩＣタグ装着情報媒体を用いて製作されているものである。
【００３７】
本発明のＩＣタグ装着発行券類は、図１に示すように、紙製若しくはプラスチック製若しくは複合材製のシート１を、切取線２を介して、複数の区画に区分して形成される各々区画シート１−１、１−２、１−３、・・・、１−ｎ領域に、それぞれ異なる可視情報表示部３が表示されていて、該各々区画シート内の適宜位置には、前記可視情報表示部３に表示された情報に対応するそれぞれ異なる固有のアクセスデータ（例えばユニホームリソースロケーター；ＵＲＬ、ドメイン、メールアドレス等）と、販売情報データとが書き込まれたＲＦタグ（Ｒａｄｉｏ  Ｆｒｅｑｕｅｎｃｙ  Ｉｄｅｎｔｉｆｉｃａｔｉｏｎ  Ｔａｇ）等のＩＣタグ４が装着されているものである。
【００３８】
図１に示す本発明の上記のＩＣタグ装着発行券類Ａは、切取線２（ミシン目、ハーフカッティング線など）に沿って切り離して、複数の各々ＩＣタグ装着発行券類Ａ1 、Ａ2 、Ａ3 、・・・、Ａn として利用でき、例えば、複数の各々販売区域、又は各々店舗、又は各々販売者は、購買者向けに販売情報を発信するための発行券類Ａの発行者側として、販売情報ページ（商品広告ページ、販売促進ページなど）として利用展開でき、また、例えば、クーポン券や、サービス券としても利用展開できるものである。
【００３９】
本発明の請求項９、１０に係るＩＣタグ装着発行券類を用いた販売システムについて、以下に詳細に説明すれば、図４のシステムブロック図に示すように、券類発行者である各々販売区域、又は各々店舗、各々販売者側から購買者側に発行する上記請求項７又は８に係るＩＣタグ装着発行券類Ａと、券類発行者側が開設したＷＥＢデータサーバサイトＢと、購買者側に発行された前記発行券類ＡのＩＣタグ４に書き込まれたアクセスデータと販売情報データとを読み取り可能であって、且つ前記アクセスデータに基づいてインターネットＮを介して、前記データサーバサイトＢにアクセスして、店舗情報、商品情報、販売区域情報等の前記販売情報データよりも詳細な販売情報データを閲覧可能な読取手段Ｃとを備えている。
【００４０】
各々購買者は、前記発行券類Ａから得られた販売情報データ、又は／及び、データサー
バサイトＢから得られたより詳細な販売情報データに基づいて、券類発行者側の販売する商品を購入するものである。なお、データサーバサイトＢに格納されているデータとしては、例えば、図２、図３に示すような項目のデータである。
【００４１】
図４に示す本発明の上記のＩＣタグ装着発行券類を用いた販売システムの具体的実施例について、図５に示すシステムフローチャート図に基づいて以下に説明する。
【００４２】
＜ｓｔｅｐ１＞
所定販売区域内の複数の店舗Ｋ1 〜Ｋn である券類発行者は、図１に示すような、複数店舗別の区画シート１−１〜１−ｎによるＩＣタグ装着発行券Ａ（複数の店舗Ｋ1 〜Ｋn を対象とするＩＣタグ装着発行券Ａ1 〜Ａn の）を発行して、店舗に来訪する各々購買者に進呈する。
【００４３】
＜ｓｔｅｐ２＞
ＩＣタグ装着発行券Ａを得た購買者は、該発行券Ａの各々発行券Ａ1 〜Ａn のうち、希望する店舗Ｋk の発行券Ａk を選択して、該発行券Ａk を切取線２に沿って切り離す。
【００４４】
＜ｓｔｅｐ３＞
購買者は、切り離した発行券Ａk の可視情報表示部３に表示された店舗の商品情報を得る。
【００４５】
＜ｓｔｅｐ４＞
購買者は、図４に示すように、切り離した発行券Ａk のＩＣタグ４に読取手段Ｃを接近させ、書き込まれた店舗Ｋk の販売情報と、その店舗Ｋk の固有アドレス（ＵＲＬ、ドメインなど）を読み取り手段Ｃにて読み取り、該読み取り手段Ｃにダウンロードする。
【００４６】
＜ｓｔｅｐ５＞
購買者は、読み取り手段Ｃにて読み取っり、ダウンロードした店舗Ｋk の販売情報を閲覧する。より詳細な店舗Ｋk の販売情報を希望する場合は、次のｓｔｅｐ６に進み、希望しない場合は、ｓｔｅｐ８に進む。
【００４７】
＜ｓｔｅｐ６＞
購買者は、読取手段Ｃにダウンロードした店舗Ｋk の固有アドレス（ＵＲＬ、ドメインなど）を用いて、インターネットＮを介して、販売情報データサーバサイトＢにアクセスする。
【００４８】
＜ｓｔｅｐ７＞
購買者は、読取手段Ｃにて販売情報データサーバサイトＢに格納されている店舗Ｋk のより詳細な販売情報を得る。
【００４９】
＜ｓｔｅｐ８＞
次に、購買者は、発行券Ａの他の店舗の発行券を希望選択する場合は、ｓｔｅｐ２に戻り、発行券Ａのうちの他の店舗の発行券を選択して切り離し、上記同様にして、ｓｔｅｐ３〜ｓｔｅｐ８の操作を繰り返す。また、希望しない場合は、発行券Ａの切り離しはせずに、読取手段Ｃの操作、読み取りを終了する。
【図面の簡単な説明】
【００５０】
【図１】本発明のＩＣ装着情報媒体又はＩＣ装着発行券類の一例を説明する平面図。
【図２】本発明のＩＣ装着情報媒体又はＩＣ装着発行券類のＩＣタグに書き込まれるデータ、及び販売情報データサーバサイトに格納されるデータ、データ項目の一例を示す。
【図３】本発明のＩＣ装着発行券類のＩＣタグに書き込まれるデータ及び販売情報データサーバサイトに格納されるデータの項目例を示す。
【図４】本発明システムの一例を説明するシステムブロック図。
【図５】本発明システムの一例における手順を示すシステムフローチャート図。
【符号の説明】
【００５１】
１…シート  ２…切取線  ３…可視情報表示部  ４…ＩＣタグ
Ａ…ＩＣチップを装着する発行券類
Ｂ…販売情報データサーバサイト
Ｃ…ＩＣチップ読取端末
Ｎ…インターネットなどネットワーク
【図１】
2006065604.tif 000003
【図２】
2006065604.tif 000004
【図３】
2006065604.tif 000005
【図４】
2006065604.tif 000006
【図５】
2006065604.tif 000007